(57)【特許請求の範囲】
【請求項１】
貯水空間内に設置され貯留槽を構成する骨格ブロック構造体であって、
前記骨格ブロック構造体は、
水平方向に隣接配置され且つ垂直方向に積層される複数の骨格ブロックからなる骨格ブロックの集合体と、
前記骨格ブロックの集合体の外周を囲って前記貯留槽を構成する外周壁と、
前記貯留槽に水を流入するための流入部と、
前記貯留槽に貯留されている水を流出するための流出部と、
前記貯留槽内を第１の空間と前記流出部に連通する第２の空間とに区画し、前記第１の空間から前記第２の空間への水の流入を規制する仕切シートと、
前記仕切シートで覆われて前記第２の空間に挿入された挿入ブロック体と、
を備え、
前記挿入ブロック体は、外周に板材が固定部材で固定された挿入ブロック本体を有し、前記第１の空間と前記第２の空間とを連通しオリフィスとして機能する開口が形成されており、
前記仕切シートは、前記挿入ブロック本体の外周を覆い前記板材に固定され、前記開口に対応する位置に孔部が形成されており、
前記板材は、前記挿入ブロック本体を構成する各側面において、底辺および左右両側辺に沿った位置、および前記底辺と上辺との間で前記底辺と平行となる位置に配置され、
前記底辺と上辺との間に配置された板材の上端は、前記挿入ブロック本体の上端よりも低い位置とされ、前記挿入ブロック本体の上端近傍に形成される越流堰の開口の下縁となる、
骨格ブロック構造体。
【請求項２】
前記板材は樹脂板であり、前記仕切シートは、熱溶着又は接着剤により前記板材に固定されている、
請求項１に記載の骨格ブロック構造体。
【請求項３】
前記貯留槽の外周壁は、遮水シートにより覆われており、
前記挿入ブロック体の下端における前記仕切シートと前記遮水シートとの隙間が止水シートにより覆われている、
請求項１又は２に記載の骨格ブロック構造体。
【請求項４】
複数の骨格ブロックを、水平方向に隣接配置し且つ垂直方向に積層して挿入ブロック本体を構成し、
前記挿入ブロック本体の各側面に板材を取り付け、
展開された仕切シートの上に前記挿入ブロック本体を載置し、
前記仕切シートの四方を持ち上げて前記挿入ブロック本体を包み込み、前記板材に固定する、挿入ブロック体の製造方法であって、
前記挿入ブロック体に、オリフィスとして機能する開口を形成し、
前記仕切シートの前記開口に対応する位置に孔部を形成し、
前記板材を、前記挿入ブロック本体を構成する各側面において、底辺および左右両側辺に沿った位置、および前記底辺と上辺との間で前記底辺と平行となる位置に配置し、
前記底辺と上辺との間に配置される板材の上端を、前記挿入ブロック本体の上端よりも低い位置とし、前記挿入ブロック本体の上端近傍に形成される越流堰の開口の下縁とする、
挿入ブロック体の製造方法。
【請求項５】
貯水空間内に設置され貯留槽を構成する骨格ブロック構造体の製造方法であって、
前記骨格ブロック構造体は、
複数の骨格ブロックを水平方向に隣接配置し且つ垂直方向に積層して骨格ブロックの集合体を形成し、
前記骨格ブロックの集合体の外周を囲って前記貯留槽を構成する外周壁と、前記貯留槽に水を流入するための流入部と、前記貯留槽に貯留されている水を流出するための流出部と、を形成し、
前記貯留槽内を第１の空間と前記流出部に連通する第２の空間とに区画し、
前記第２の空間に、請求項４に記載の方法で製造した挿入ブロック体を挿入する、
ことによって製造される、
骨格ブロック構造体の製造方法。
【発明の詳細な説明】
【技術分野】
【０００１】
本発明は、ビルあるいは集合住宅、特に団地、学校、病院などにおいて、雨水等を防火用や散水用、あるいは洪水防止用等として使用すべく貯水するための貯留施設、あるいは降水を一時的に貯留施設に蓄えておき少しずつ浸透させる浸透施設に用いられる骨格ブロック構造体、挿入ブロック体の製造方法及び骨格ブロック構造体の製造方法に関する。
【背景技術】
【０００２】
昨今では、都市化に伴う土地の被覆により、雨水の地下浸透能力の低下が著しく、道路冠水や施設浸水の被害が多発している。この問題に対処するため、従来から、河川の水や雨水等を地中に貯水する貯水施設に設けられた貯水空間に設置されて、貯留槽を構成する樹脂製の骨格ブロック構造体が知られている。この骨格ブロック構造体は、樹脂製の複数の骨格ブロックを水平方向に隣接配置し且つ垂直方向に積層することによって構成される（例えば、特許文献１を参照）。
【０００３】
係る貯水空間においては、周囲から受ける土圧に対処するための強度を確保する必要がある。上述のように、貯水空間内に骨格ブロック構造体を設置することにより、周囲から受ける土圧を骨格ブロック構造体で受け止めることができる。この結果、土圧に対する貯水空間の強度を高めることができる。
【先行技術文献】
【特許文献】
【０００４】
【特許文献１】特開２００８−３８４５７号公報
【発明の概要】
【発明が解決しようとする課題】
【０００５】
ところで、上述のように、骨格ブロック構造体が貯水空間に設置されて貯留槽が構成される場合、貯留槽から流出する水の流量を調整するために、貯留槽からの水の流出経路の途中にオリフィス（絞り孔）を設けることが好ましい。更に、雨水等に含まれる石や砂利等の比較的大きな粒子の貯留槽内への流入を抑制するために、貯留槽への水の流入経路の途中に、これらの粒子を事前に捕獲するための流入槽を設けることが好ましい。
【０００６】
従来、このようなオリフィスは、孔部となる開口以外の箇所に対し非常に高い遮水性が求められているため、樹脂製の骨格ブロック構造体によりオリフィスを形成することは難しく、コンクリート等で作製され、樹脂製の骨格ブロック構造体で構成される貯留槽の外部に設置されていた。このため、貯留施設の作製に要するコストの低減及び工期の短縮の観点からは、改善する余地があった。
【０００７】
本発明は、上述した事情に鑑みてなされたものであり、その目的は、貯留施設の作製に要するコストの低減及び工期の短縮が可能な、骨格ブロック構造体、挿入ブロック体の製造方法及び骨格ブロック構造体の製造方法を提供することにある。
【課題を解決するための手段】
【０００８】
前述した目的を達成するために、本発明に係る骨格ブロック構造体、挿入ブロック体の製造方法及び骨格ブロック構造体の製造方法は、下記（１）〜（５）を特徴としている。
（１）  貯水空間内に設置され貯留槽を構成する骨格ブロック構造体であって、
前記骨格ブロック構造体は、
水平方向に隣接配置され且つ垂直方向に積層される複数の骨格ブロックからなる骨格ブロックの集合体と、
前記骨格ブロックの集合体の外周を囲って前記貯留槽を構成する外周壁と、
前記貯留槽に水を流入するための流入部と、
前記貯留槽に貯留されている水を流出するための流出部と、
前記貯留槽内を第１の空間と前記流出部に連通する第２の空間とに区画し、前記第１の空間から前記第２の空間への水の流入を規制する仕切シートと、
前記仕切シートで覆われて前記第２の空間に挿入された挿入ブロック体と、
を備え、
前記挿入ブロック体は、外周に板材が固定部材で固定された挿入ブロック本体を有し、前記第１の空間と前記第２の空間とを連通しオリフィスとして機能する開口が形成されており、
前記仕切シートは、前記挿入ブロック本体の外周を覆い前記板材に固定され、前記開口に対応する位置に孔部が形成されており、
前記板材は、前記挿入ブロック本体を構成する各側面において、底辺および左右両側辺に沿った位置、および前記底辺と上辺との間で前記底辺と平行となる位置に配置され、
前記底辺と上辺との間に配置された板材の上端は、前記挿入ブロック本体の上端よりも低い位置とされ、前記挿入ブロック本体の上端近傍に形成される越流堰の開口の下縁となる、
骨格ブロック構造体。
【０００９】
上記（１）の構成の骨格ブロック構造体によれば、仕切シートにより、第１の空間と、流出部に連通する第２の空間とに区画され、仕切シートで覆われた挿入ブロック体が第２の空間に挿入されている。これにより、第２の空間を挿入ブロック体で良好に形成しつつ仕切シートで第１の空間から第２の空間への水の流入を規制することができる。したがって、例えば第２の空間内への水の流入量を制限したり、第２の空間内に移動した水が、流出部を介して貯留槽の外部に流出する流量を制限できる。
更に、骨格ブロック構造体を構築している途中で、第２の空間に挿入ブロック体を挿入して設置することにより、仕切シートによって第１の空間からの水の流入が規制された第２の空間を簡単に設けることができる。この結果、越流桝（オリフィス桝）をコンクリートで作製して設置する場合と比べて、コンクリートと同等の遮水性を実現しつつ、貯留施設の作製に要するコストの低減及び工期の短縮が可能となる。
また、挿入ブロック本体に板材を設け、挿入ブロック本体を包んだ仕切シートを板材に固定しているので、単に挿入ブロック本体を仕切シートで包む場合と比べ、高い遮水性を得ることができる。
【００１１】
また、挿入ブロック本体を構成する各側面において、底辺および左右両側辺に沿った位置、および底辺と上辺との間で底辺と平行となる位置に板材が配置されている。これにより、挿入ブロック本体に対して、底辺および左右両側辺に沿った位置、および底辺と上辺との間で底辺と平行となる位置で仕切シートを固定することができ、簡易な構造で高い遮水性を得ることができる。
【００１２】
（２）  前記板材は樹脂板であり、前記仕切シートは、熱溶着又は接着剤により前記板材に固定されている、
上記（１）に記載の骨格ブロック構造体。
【００１３】
上記（２）の構成の骨格ブロック構造体によれば、熱溶着又は接着剤によって樹脂板からなる板材に仕切シートを容易にかつ良好に固定することができ、簡易な構造で高い遮水性を得ることができる。
【００１４】
（３）  前記貯留槽の外周壁は、遮水シートにより覆われており、
前記挿入ブロック体の下端における前記仕切シートと前記遮水シートとの隙間が止水シートにより覆われている、
上記（１）又は（２）に記載の骨格ブロック構造体。
【００１５】
上記（３）の構成の骨格ブロック構造体によれば、止水シートが、仕切シートと遮水シートとの境界部分を外側から覆っているので、貯留槽内に貯水された際に、水圧により止水シートが仕切シートと遮水シートとを確実に繋ぐようになる。
【００１６】
（４）  複数の骨格ブロックを、水平方向に隣接配置し且つ垂直方向に積層して挿入ブロック本体を構成し、
前記挿入ブロック本体の各側面に板材を取り付け、
展開された仕切シートの上に前記挿入ブロック本体を載置し、
前記仕切シートの四方を持ち上げて前記挿入ブロック本体を包み込み、前記板材に固定する、挿入ブロック体の製造方法であって、
前記挿入ブロック体に、オリフィスとして機能する開口を形成し、
前記仕切シートの前記開口に対応する位置に孔部を形成し、
前記板材を、前記挿入ブロック本体を構成する各側面において、底辺および左右両側辺に沿った位置、および前記底辺と上辺との間で前記底辺と平行となる位置に配置し、
前記底辺と上辺との間に配置される板材の上端を、前記挿入ブロック本体の上端よりも低い位置とし、前記挿入ブロック本体の上端近傍に形成される越流堰の開口の下縁とする、
挿入ブロック体の製造方法。
【００１７】
上記（４）の構成の挿入ブロック体の製造方法によれば、複数の骨格ブロックを、水平方向に隣接配置し且つ垂直方向に積層して構成した挿入ブロック本体の各側面に板材を取り付け、この挿入ブロック本体を、展開された仕切シートの上に載置し、仕切シートの四方を持ち上げて挿入ブロック本体を包み込んで板材に固定する。これにより、周囲が仕切シートで覆われた挿入ブロック体を容易に製造することができる。
【００１８】
（５）  貯水空間内に設置され貯留槽を構成する骨格ブロック構造体の製造方法であって、
前記骨格ブロック構造体は、
複数の骨格ブロックを水平方向に隣接配置し且つ垂直方向に積層して骨格ブロックの集合体を形成し、
前記骨格ブロックの集合体の外周を囲って前記貯留槽を構成する外周壁と、前記貯留槽に水を流入するための流入部と、前記貯留槽に貯留されている水を流出するための流出部と、を形成し、
前記貯留槽内を第１の空間と前記流出部に連通する第２の空間とに区画し、
前記第２の空間に、上記（４）に記載の方法で製造した挿入ブロック体を挿入する、
ことによって製造される、
骨格ブロック構造体の製造方法。
【００１９】
上記（５）の構成の骨格ブロック構造体の製造方法によれば、複数の骨格ブロックを水平方向に隣接配置し且つ垂直方向に積層して骨格ブロックの集合体を形成し、骨格ブロックの集合体の外周を外周壁で囲って貯留槽を構成する。貯留槽に水を流入するための流入部と、貯留槽に貯留されている水を流出するための流出部と、を形成する。貯留槽内を第１の空間と流出部に連通する第２の空間とに区画し、第２の空間に、挿入ブロック本体の周囲が仕切シートで覆われた挿入ブロック体を挿入する。これにより、仕切シートによって第１の空間からの水の流入が規制された第２の空間を備える貯留施設を容易に作製することができ、作製に要する工期を短縮させることができる。
【発明の効果】
【００２０】
本発明によれば、貯留施設の作製に要するコストの低減及び工期の短縮が可能な骨格ブロック構造体、挿入ブロック体の製造方法及び骨格ブロック構造体の製造方法を提供できる。
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】図１は、本発明の実施形態に係る骨格ブロック構造体の概略上面図である。
【図２】図２は、図１のＡ−Ａ線断面図である。
【図３】図３は、骨格ブロック構造体を構成する骨格ブロックの斜視図である。
【図４】図４は、仕切シートにより挿入ブロック本体が覆われた挿入ブロック体の斜視図である。
【図５】図５は、仕切シートによって挿入ブロック本体を覆う前の挿入ブロック体の斜視図である。
【図６】図６は、挿入ブロック本体の側面に組付けられる壁体を示す図であって、（ａ）は正面図、（ｂ）は側面図、（ｃ）は背面図、（ｄ）は下面図である。
【図７】図７は、板材の壁体への固定構造を説明する図であって、（ａ）は固定前の斜視図、（ｂ）は固定した状態の斜視図である。
【図８】図８は、オリフィス用の板材が固定されたオリフィス用の壁体の斜視図である。
【図９】図９は、幅調整用の板材が固定された幅調整用の壁体の斜視図である。
【図１０】図１０は、側部用の板材が固定された壁体の斜視図である。
【図１１】図１１は、越流用の板材が固定された越流用の壁体を示す図であって、（ａ）は正面側から視た斜視図、（ｂ）は背面側から視た斜視図である。
【図１２】図１２は、異なる高さ寸法の越流用の板材が固定された越流用の壁体を示す図であって、（ａ）は正面側から視た斜視図、（ｂ）は背面側から視た斜視図である。
【図１３】図１３は、挿入ブロック体の設置構造を示す概略断面図である。
【発明を実施するための形態】
【００２３】
本発明に関する具体的な実施形態について、各図を参照しながら以下に説明する。
【００２４】
骨格ブロック構造体１は、典型的には、河川の水や雨水等を地中に貯水する貯水施設に設けられた貯水空間に設置されて、貯留槽を構成するために使用される。このような貯水空間は、例えば、地面を掘り下げることで形成された直方体状等の凹部の内表面を内張層で覆うことによって形成される。内張層としては、砂利、不織布、或いは防水シート等が使用され得る。本例では、内張層として遮水シートが使用される。
【００２５】
図１及び図２に示すように、骨格ブロック構造体１は、水平方向に隣接配置され且つ垂直方向に積層される複数の骨格ブロック１０からなる骨格ブロック１０の集合体の外周を、外周壁２０で囲うことで、貯留槽を構成している。
【００２６】
この骨格ブロック構造体１は、貯留槽内が、主空間Ｓ１と、流入管（流入部）３０に連通する副空間Ｓ２と、流出管（流出部）４０に連通する副空間Ｓ３とに区画されている。流出管４０に連通する副空間Ｓ３には、越流桝（オリフィス桝）となる後述の挿入ブロック体６０が挿入される。
【００２７】
まず、骨格ブロック１０の集合体について説明する。樹脂製の骨格ブロック１０の集合体を構成する樹脂製の各骨格ブロック１０は、例えば、図３に示すように、平面形状が正方形であり且つ互いに平行な上面及び下面を有する平板状の基台１１を備える。基台１１は、例えば、基台１１の正方形状の外枠を構成する外周フレーム１２と、外周フレーム１２の内側空間にて外周フレーム１２と一体に連結された複数のリブ１３と、によって構成される。
【００２８】
このため、基台１１の上面には、隣接するリブ１３で区画された複数の溝部（貫通孔）１４が形成されている。この溝部１４は、後述する挿入ブロック体６０を構成する壁体７１の突起部７３（図６参照）が嵌合されて、骨格ブロック１０に壁体７１を連結・固定するために使用される。
【００２９】
基台１１には、その上面から立設すると共に先端に近づくほど小径となる円錐台状の複数（典型的には、２つ）の同形の支持体１５が形成される。また、基台１１の上面には、複数（典型的には、２つ）の同形の嵌合穴１６が形成される。
【００３０】
平面視にて、２つの支持体１５のそれぞれの中心は、基台１１の外周形状である正方形（以下、「外周正方形」と呼ぶ）の一対の対角線のうち一方の対角線上に位置し、２つの嵌合穴１６のそれぞれの中心は、外周正方形の一対の対角線のうち他方の対角線上に位置している。平面視にて、２つの支持体１５、及び、２つの嵌合穴１６は、「２つの支持体１５の２つの中心と、２つの嵌合穴１６の２つの中心とを四隅とする四角形」が「外周正方形を０．５倍に縮小した正方形」となるように配置されている。
【００３１】
下段の骨格ブロック１０に上下を逆さまにした上段の骨格ブロック１０を近づけて、上段の骨格ブロック１０の支持体１５を下段の骨格ブロック１０の嵌合穴１６に挿入し、且つ、上段の骨格ブロック１０の嵌合穴１６に下段の骨格ブロック１０の支持体１５を挿入することによって、上下２段の骨格ブロック１０を互いに連結・固定することができる。つまり、上下２段の骨格ブロック１０の部分集合体が、骨格ブロック１０の集合体における「１つの層」を構成する。
【００３２】
「上下２段の骨格ブロック１０の部分集合体」を構成する手法として、主として、以下の２つの手法がある。第１に、上下を逆さまにした上段の各骨格ブロック１０を、水平方向に縦横に隣接配置された下段の対応する１つの骨格ブロック１０と連結・固定する手法である。第２に、上下を逆さまにした上段の各骨格ブロック１０を、水平方向に縦横に隣接配置された下段の対応する４つの骨格ブロック１０と連結・固定する手法である（所謂「千鳥配置」とする）。図１及び図２に示す例では、第２の手法によって構成された「上下２段の骨格ブロック１０の部分集合体」を５つ積層して得られる、５層の直方体状の骨格ブロック１０の集合体が示されている。
【００３３】
水平方向に隣接配置された「骨格ブロック１０」同士の連結・固定、並びに、上下方向に積層された「上下２段の骨格ブロック１０の部分集合体」同士の連結・固定は、例えば、所定の把持具を用いること、並びに、互いに連結される連結面の一方に設けた嵌合突起部と他方に設けた嵌合凹部とを嵌合すること、等によって達成され得る。上記第２の手法（千鳥配置）によって「上下２段の骨格ブロック１０の部分集合体」が構成される場合、水平方向に隣接配置された「骨格ブロック１０」同士を連結・固定する手段が不要となる。
【００３４】
次に、外周壁２０について説明する。図１及び図２に示す例では、樹脂製の外周壁２０が、直方体状の骨格ブロック１０の集合体の外周の全体を覆っている。但し、後述する挿入ブロック体６０の一側面が、図１に示すように骨格ブロック１０の集合体の一側面と一致するように配置される場合には、この側面位置において外周壁２０を設けなくてもよい。この樹脂製の外周壁２０は、例えば、樹脂製の複数の外周壁ブロックを、骨格ブロック１０の集合体の外周の全体を覆うように、水平方向及び垂直方向に縦横に隣接配置することで構成され得る。
【００３５】
骨格ブロック１０の集合体の側面を覆う各外周壁ブロックの高さは、例えば、骨格ブロック１０の集合体における「１つの層」の高さと一致している。この場合、図１及び図２に示す例では、５層の直方体状の骨格ブロック１０の集合体の側面を覆う外周壁２０は、矩形環状に隣接配置された複数の外周壁ブロックからなる１層分の高さの外周壁ブロックの部分集合体を、垂直方向に５つ積層することで構成される。このとき、５つの「上下２段の骨格ブロック１０の部分集合体」の各々が順次積層される毎に、その最上位に位置する「上下２段の骨格ブロック１０の部分集合体」の周囲を覆うように、１層分の高さの外周壁ブロックの部分集合体を順次積層していくことができる。
【００３６】
図１及び図２に示すように、骨格ブロック構造体１は、更に、貯留槽に水を流入するための流入管３０と、貯留槽に貯留されている水を流出するための流出管４０とを備える。図１及び図２に示す例では、流入管３０が、骨格ブロック１０の集合体の一側（図１及び図２では左側）の側面を覆う外周壁２０の上端近傍の所定位置にて、外周壁２０を貫通するように外周壁２０に固定配置される。流出管４０は、骨格ブロック１０の集合体の他側（図１及び図２では右側）の下端近傍の所定位置にて、後述する挿入ブロック体６０に接続されている。流入管３０及び流出管４０としては、例えば、塩化ビニル製の配管が使用され得る。
【００３７】
図１及び図２に示すように、骨格ブロック構造体１は、更に、貯留槽内を、主空間Ｓ１と、流入管３０に連通する副空間Ｓ２とに区画する流入側仕切壁５０を備える。図１及び図２に示す例では、流入側仕切壁５０は、上方からみて、一側（図１及び図２では左側）に開口するＵ字状であって、Ｕ字状の一対の開口縁が流入管３０の下方に位置する外周壁２０の内壁に接続されたＵ字状の形状を有するように、貯留槽の底壁（即ち、外周壁２０における底壁を構成する部分）から立ち上がっている。したがって、副空間Ｓ２は、流入管３０に連通すると共に、Ｕ字状の流入側仕切壁５０と外周壁２０の一部とで画成された直方体状の空間である。
【００３８】
流入側仕切壁５０の上縁は、貯留槽（外周壁２０）の上縁より低い位置にある。したがって、流入管３０を介して貯留槽に流入する雨水等は、まず、副空間Ｓ２へ移動し、雨水等に含まれる比較的大きな粒子が副空間Ｓ２の底部に捕獲される。これらの粒子が除去された後の水が、流入側仕切壁５０の上縁を越えて、主空間Ｓ１に移動して貯留される。このように、副空間Ｓ２は、雨水等に含まれる石や砂利等の比較的大きな粒子の主空間Ｓ１への流入を抑制するための流入槽として機能し得る。換言すれば、流入槽が、貯留槽の内部に設けられている。
【００３９】
樹脂製の流入側仕切壁５０は、例えば、樹脂製の複数の仕切ブロックを、水平方向に隣接配置し且つ垂直方向に積層することで構成され得る。仕切ブロックの高さは、例えば、骨格ブロック１０の支持体１５の高さと略一致している。
【００４０】
図１及び図２に示す例では、平板状に水平方向に隣接配置された下段の骨格ブロック１０の部分集合体上に、複数の仕切ブロックを、Ｕ字状に並ぶように連結・固定し、この状態にて、下段の骨格ブロック１０の部分集合体に、上下を逆さまにした上段の骨格ブロック１０の部分集合体を組み付けることで、１層分の高さの流入側仕切壁５０が挟持された「上下２段の骨格ブロック１０の部分集合体」（＝１層）が得られる。このような１層分の高さの流入側仕切壁５０が挟持された「上下２段の骨格ブロック１０の部分集合体」を垂直方向に４つ積層し、この積層体の上に、仕切ブロックが挟持されない「上下２段の骨格ブロック１０の部分集合体」を積層することで、図１及び図２に示すように、上縁が貯留槽の上縁より低い位置にある流入側仕切壁５０が得られる。
【００４１】
なお、図１及び図２に示す例では、貯留槽の上壁（外周壁２０における上壁を構成する部分）の所定位置にて、副空間Ｓ２内を点検するための点検孔２１が形成されている。このため、貯留槽における点検孔２１の下方領域（即ち、副空間Ｓ２内）には、骨格ブロック１０が配置されないことにより、点検孔２１と貯留槽の底壁（外周壁２０における下壁を構成する部分）とを繋ぐ空間２３が形成されている。
【００４２】
図１及び図２に示すように、骨格ブロック構造体１は、更に、貯留槽内が、主空間（第１の空間）Ｓ１と、この主空間Ｓ１とは別の副空間（第２の空間）Ｓ３とに区画されている。副空間Ｓ３は、上方からみて、貯水槽の流出管４０の隣接位置にて、直方体状を有するように設けられており、流出管４０は、副空間Ｓ３に連通されている。副空間Ｓ３は、骨格ブロック構造体１を作製する際に、副空間Ｓ３に対応する箇所に骨格ブロック１０を配置しないことにより主空間Ｓ１と区画されている。副空間Ｓ３には、この副空間Ｓ３に相当する直方体形状を有する挿入ブロック体６０が挿入されている。流出管４０側に位置する挿入ブロック体６０の側面は、骨格ブロック構造体１の全体を覆う遮水シートと隣接されており、流出管４０は、挿入ブロック体６０の側面を貫通している。したがって、副空間Ｓ３は、流出管４０に連通すると共に、挿入ブロック体６０で画成された直方体状の空間である。なお、骨格ブロック構造体１の全体を外周壁２０で覆った場合には、流出管４０側に位置する挿入ブロック体６０の側面は、外周壁２０の内壁と隣接されるようになる。
【００４３】
なお、図１及び図２に示す例では、貯留槽の上壁（外周壁２０における上壁を構成する部分）の所定位置にて、副空間Ｓ３内を点検するための点検孔２２が形成されている。このため、貯留槽における点検孔２２の下方領域（即ち、副空間Ｓ３内）には、骨格ブロック１０が配置されないことにより、点検孔２２と貯留槽の底壁（外周壁２０における下壁を構成する部分）とを繋ぐ空間２４が形成されている。
【００４４】
図２に示すように、挿入ブロック体６０には、特に、下端近傍位置にて、オリフィス（貫通した絞り孔、開口ともいう）５３が形成されている。即ち、オリフィス５３が、貯留槽の内部に設けられている。このため、貯留槽の主空間Ｓ１に貯留されている水は、オリフィス５３を経由して貯留槽の副空間Ｓ３へ移動し、副空間Ｓ３へ移動した水が、流出管４０を介して貯留槽の外部に流出する。これにより、貯留槽から流出する水の流量がオリフィス５３によって調整され得る。
【００４５】
更に、挿入ブロック体６０には、特に、上端近傍位置にて、１つ又は複数の越流堰の開口５４が形成されている。開口５４の総開口面積は、オリフィス５３の総開口面積より大きい。これにより、副空間Ｓ２から過大な流量の水が主空間Ｓ１に流れ込むことで主空間Ｓ１に貯留される水が越流しようとする場合に、主空間Ｓ１に貯留されている水が、開口５４を経由して貯留槽の副空間Ｓ３へ容易に移動し、副空間Ｓ３へ移動した水が、流出管４０を介して貯留槽の外部に流出する。これにより、主空間Ｓ１が満水になることが防止される。
【００４６】
上記の骨格ブロック構造体１を貯水施設に設けられた貯水空間（地面に形成された凹部）に設置する場合、典型的には、まず、貯水空間の底面に保護シート及び遮水シートを敷設する。次いで、貯水空間内に骨格ブロック構造体１を組み立てる。
【００４７】
次いで、骨格ブロック１０を配置しないことにより主空間Ｓ１と区画した副空間Ｓ３に挿入ブロック体６０を挿入する。このとき、挿入ブロック体６０の底面の仕切シート６１と貯水空間の底面を覆う遮水シートとを接着あるいは溶着してもよい。
【００４８】
その後、骨格ブロック構造体１の側面及び上面を覆うように、骨格ブロック構造体１に保護シート及び遮水シートを敷設する。その際、流入管３０及び流出管４０が配置されている箇所では、保護シート及び遮水シートに筒状のジョイント加工を施し、配管接続を確実に行う。そして、最後に、保護シート及び遮水シートで覆われた骨格ブロック構造体１が設置された貯留空間の上部開口が、点検孔２１，２２の位置を除いて、土砂等によって塞がれる。これにより、貯留施設が完成する。
【００４９】
次に、副空間Ｓ３に挿入される挿入ブロック体６０について説明する。
図４は、仕切シートにより挿入ブロック本体が覆われた挿入ブロック体の斜視図である。
【００５０】
図４に示すように、挿入ブロック体６０は、その外周が仕切シート６１によって覆われている。これにより、貯留槽内は、仕切シート６１によって主空間Ｓ１と流出管（流出部）４０に連通する副空間Ｓ３とに区画される。
【００５１】
仕切シート６１は、その上縁部が、挿入ブロック体６０の上端近傍位置における開口５４の縁部に配置されている。これにより、挿入ブロック体６０は、仕切シート６１によって、開口５４を除く底面及び周面が覆われて止水され、主空間Ｓ１から副空間Ｓ３への水の流入が規制される。また、仕切シート６１は、オリフィス５３に対応する位置に孔部６２が形成されており、オリフィス５３を通して主空間Ｓ１から副空間Ｓ３へ水が流入可能とされている。なお、仕切シート６１には、流出管４０が配置される箇所において、ジョイント加工が施されており、これにより、挿入ブロック体６０に対して流出管４０が接続されている。
【００５２】
図５は、仕切シートによって挿入ブロック本体を覆う前の挿入ブロック体の斜視図である。
図５に示すように、挿入ブロック体６０は、挿入ブロック本体７０と、複数の板材８０とから構成されている。
【００５３】
挿入ブロック本体７０は、複数の骨格ブロック１０から構成されており、直方体形状に形成されている。挿入ブロック本体７０は、複数の骨格ブロック１０を水平方向に隣接配置し且つ垂直方向に積層することにより構成されている。具体的には、下段の骨格ブロック１０に上下を逆さまにした上段の骨格ブロック１０を互いに連結・固定して「上下２段の骨格ブロック１０の部分集合体」とする。そして、複数の「上下２段の骨格ブロック１０の部分集合体」を積層して挿入ブロック本体７０とする。この挿入ブロック本体７０は、その側面が、樹脂製の壁体７１によって覆われている。
【００５４】
図６〜図１２は、挿入ブロック本体の側面に組付けられる各種の壁体及び板材を示す図である。
【００５５】
図６（ａ）〜（ｄ）に示すように、壁体７１は、表裏に貫通する複数の孔部７２を有する板状に形成されており、上下２段の骨格ブロック１０の間に嵌め込まれる。壁体７１は、その高さが、骨格ブロック１０の支持体１５の高さと略一致している。壁体７１の上縁部及び下縁部には、それぞれ、上方及び下方に向けて突出する複数の突起部７３が一体に設けられている。このため、壁体７１の上縁部の突起部７３を上段の骨格ブロック１０の溝部１４に嵌合させ、壁体７１の下縁部の突起部７３を下段の骨格ブロック１０の溝部１４に嵌合させることで、壁体７１を上下２段の骨格ブロック１０で挟持することができる。壁体７１の両側縁部は、挿入ブロック本体７０への組付け側に面取り部７４を有している。これにより、骨格ブロック１０からなる挿入ブロック本体７０の角部において、壁体７１同士の縁部を干渉させずに突き合わせることが可能となる。
【００５６】
図５に示すように、板材８０は、挿入ブロック本体７０の側面における所定位置に設けられている。具体的には、板材８０は、挿入ブロック本体７０を構成する各側面において、底辺および左右両側辺に沿った位置、および底辺と上辺との間で底辺と平行となる位置に配置されている。板材８０は、例えば、アクリル板や塩化ビニル板などの樹脂板である。
【００５７】
図７（ａ）及び（ｂ）に示すように、板材８０は、挿入ブロック本体７０の壁体７１の外面に対して、例えば、タッピングネジなどのネジ（固定部材）８２によって固定されている。なお、板材８０は、ネジ８２に限らず、釘等の他の固定部材によって壁体７１に固定してもよい。
【００５８】
図５に示すように、挿入ブロック本体７０のオリフィス５３が設けられた側面以外の側面における底辺に沿った位置では、四つの底部用の板材８０Ａが固定されている。これに対して、挿入ブロック本体７０のオリフィス５３が設けられた側面における底辺に沿った位置では、中央にオリフィス用の板材８０Ｂが設けられ、このオリフィス用の板材８０Ｂの両側に、幅調整用の板材８０Ｃ、底部用の板材８０Ａが設けられている。図８に示すように、オリフィス用の板材８０Ｂは、オリフィス孔８３を有しており、オリフィス用の壁体７１Ｂに固定されている。オリフィス用の壁体７１Ｂは、例えば、ステンレス等の金属材料から形成されており、樹脂製の壁体７１と同一形状に形成されている。図９に示すように、幅調整用の板材８０Ｃは、底部用の板材８０Ａよりも小さい幅寸法を有しており、幅調整用の壁体７１Ｃに固定されている。幅調整用の壁体７１Ｃは、壁体７１よりも小さい幅寸法を有しており、上方及び下方に向けて突出する突起部７３が一対ずつ設けられている。
【００５９】
図５に示すように、挿入ブロック本体７０の各側面における左右両側辺に沿った位置では、それぞれ側部用の板材８０Ｄが固定されている。図１０に示すように、側部用の板材８０Ｄは、底部用の板材８０Ａよりも小さい幅寸法を有しており、壁体７１に対して左側または右側に寄せて固定されている。具体的には、挿入ブロック本体７０の側面における左側の辺に沿った位置では、壁体７１に対して板材８０Ｄが左側に寄せて固定され、挿入ブロック本体７０の側面における右側の辺に沿った位置では、壁体７１に対して板材８０Ｄが右側に寄せて固定されている。これにより、挿入ブロック本体７０は、その角部において上下方向に沿って板材８０Ｄが配置されている。
【００６０】
図５に示すように、挿入ブロック本体７０の各側面の上端近傍における底辺と平行となる位置では、それぞれ越流用の板材（越流堰）８０Ｅが固定されている。この越流用の板材８０Ｅが設けられる挿入ブロック本体７０の各側面の上端近傍における底辺と平行となる位置は、具体的には、越流堰の開口５４の下縁に沿う位置である。図１１（ａ）及び（ｂ）に示すように、越流用の板材８０Ｅは、底部用の板材８０Ａよりも小さい高さ寸法を有しており、越流用の壁体７１Ｅに固定されている。越流用の壁体７１Ｅは、壁体７１よりも小さい高さ寸法を有している。この越流用の壁体７１Ｅでは、上方へ突出する突起部７３が、上方へ延在する延在部７５の端部に設けられている。なお、図１２（ａ）及び（ｂ）に示すように、越流用の板材８０Ｅとして、大きな高さ寸法の板材８０Ｅを壁体７１Ｅに固定すれば、越流堰の開口５４の下縁を高くし、この開口５４を容易に小さくすることができる。また、これとは逆に、越流用の板材８０Ｅとして、小さな高さ寸法の板材８０Ｅを壁体７１Ｅに固定すれば、越流堰の開口５４の下縁を低くし、開口５４を容易に大きくすることができる。
【００６１】
次に、挿入ブロック本体７０の周囲を仕切シート６１で覆って挿入ブロック体６０とする場合について説明する。
【００６２】
まず、展開した状態の仕切シート６１に挿入ブロック本体７０を載置する（図５参照）。次に、仕切シート６１の四方を把持し、この仕切シート６１の四方を持ち上げる。そして、この仕切シート６１によって挿入ブロック本体７０を包み込み、挿入ブロック本体７０の板材８０（８０Ａ〜８０Ｅ）に固定する。板材８０（８０Ａ〜８０Ｅ）への仕切シート６１の固定の仕方としては、接着剤による固定方法または熱溶着による固定方法などがある。なお、仕切シート６１をネジや釘等によって板材８０（８０Ａ〜８０Ｅ）に固定してもよい。また、仕切シート６１によって挿入ブロック本体７０を包み込んだ際に、仕切シート６１の隣り合う辺同士の重なる部分においては、仕切シート６１同士を溶着して固定する。その後、挿入ブロック本体７０のオリフィス用の板材８０Ｂに形成されたオリフィス孔８３と連通するように、仕切シート６１に孔部６２をあけ、オリフィス５３を形成する。
【００６３】
このように、挿入ブロック本体７０の周囲を包むように仕切シート６１を挿入ブロック本体７０の側面に貼り付けることにより、上面及び越流堰の開口５４を除く周囲が仕切シート６１によって覆われて止水された挿入ブロック体６０が構成される。
【００６４】
この挿入ブロック体６０は、前述したように、貯水空間内に骨格ブロック１０を配置して骨格ブロック構造体１を設置する際に、骨格ブロック１０を配置しないことにより主空間Ｓ１と区画した副空間Ｓ３に挿入される。このとき、挿入ブロック体６０の仕切シート６１と貯水空間の底面を覆う遮水シート９１とを互いに接着剤によって接着あるいは溶着してもよい。さらに、図１３に示すように、挿入ブロック体６０の下端における挿入ブロック体６０の仕切シート６１と遮水シート９１との隙間を覆うように、止水シート９２を接着剤によって接着する。この止水シート９２には、貯水空間内に貯留された水によって水圧が付与される。したがって、この止水シート９２は、水圧によって仕切シート６１及び遮水シート９１に押し付けられることとなり、遮水シート９１と仕切シート６１との接続を確実にすることができる。
【００６５】
以上、説明したように、本実施形態に係る骨格ブロック構造体１によれば、仕切シート６１により、主空間Ｓ１と、流出管４０に連通する副空間Ｓ３とに区画され、仕切シート６１で覆われた挿入ブロック体６０が副空間Ｓ３に挿入されている。これにより、副空間Ｓ３を挿入ブロック体６０で良好に形成しつつ仕切シート６１で主空間Ｓ１から副空間Ｓ３への水の流入を規制することができる。したがって、例えば副空間Ｓ３内への水の流入量を制限したり、副空間Ｓ３内に移動した水が、流出管４０を介して貯留槽の外部に流出する流量を制限できる。
【００６６】
更に、骨格ブロック構造体１を構築している途中で、副空間Ｓ３に挿入ブロック体６０を挿入して設置することにより、仕切シート６１によって主空間Ｓ１からの水の流入が規制された副空間Ｓ３を簡単に設けることができる。この結果、越流桝（オリフィス桝）をコンクリートで作製して設置する場合と比べて、貯留施設の作製に要するコストの低減及び工期の短縮が可能となる。
【００６７】
また、挿入ブロック本体７０に板材８０（８０Ａ〜８０Ｅ）を設け、挿入ブロック本体７０を包んだ仕切シート６１を板材８０（８０Ａ〜８０Ｅ）に固定しているので、単に挿入ブロック本体７０を仕切シート６１で包む場合と比べ、高い遮水性を得ることができる。
【００６８】
特に、挿入ブロック本体７０を構成する各側面において、底辺および左右両側辺に沿った位置、および底辺と上辺との間で底辺と平行となる位置に板材８０（８０Ａ〜８０Ｅ）が配置されている。これにより、挿入ブロック本体７０に対して、底辺および左右両側辺に沿った位置、および底辺と上辺との間で底辺と平行となる位置で仕切シート６１を固定することができ、簡易な構造で高い遮水性を得ることができる。
【００６９】
しかも、熱溶着又は接着剤によって樹脂板からなる板材８０（８０Ａ〜８０Ｅ）に仕切シート６１を容易にかつ良好に固定することができ、簡易な構造で高い遮水性を得ることができる。
【００７０】
また、本実施形態に係る挿入ブロック体６０の製造方法によれば、複数の骨格ブロック１０を、水平方向に隣接配置し且つ垂直方向に積層して構成した挿入ブロック本体７０の各側面に板材８０（８０Ａ〜８０Ｅ）を取り付け、この挿入ブロック本体７０を、展開された仕切シート６１の上に載置して、仕切シート６１の四方を持ち上げて挿入ブロック本体７０を包み込んで板材８０（８０Ａ〜８０Ｅ）に固定する。これにより、周囲が仕切シート６１で覆われた挿入ブロック体６０を容易に製造することができる。
【００７１】
さらに、本実施形態に係る骨格ブロック構造体１の製造方法によれば、複数の骨格ブロック１０を水平方向に隣接配置し且つ垂直方向に積層して骨格ブロック１０の集合体を形成し、骨格ブロック１０の集合体の外周を外周壁２０で囲って貯留槽を構成する。貯留槽に水を流入するための流入管３０と、貯留槽に貯留されている水を流出するための流出管４０と、を形成する。貯留槽内を主空間Ｓ１と流出管４０に連通する副空間Ｓ３とに区画し、副空間Ｓ３に、挿入ブロック本体７０の周囲が仕切シート６１で覆われた挿入ブロック体６０を挿入する。これにより、仕切シート６１によって主空間Ｓ１からの水の流入が規制された副空間Ｓ３を備える貯留施設を容易に作製することができ、作製に要する工期を短縮させることができる。
【００７２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７３】
例えば、図１においては、オリフィスを構成するための副空間Ｓ３は、骨格ブロック構造体１の一側面側に形成されているが、この副空間Ｓ３は、骨格ブロック構造体１の任意の位置に形成することができる。つまり、本実施形態に係る挿入ブロック体６０は、オリフィスの開口以外の部分において高い遮水性を有しながら軽量であり、且つ、骨格ブロック構造体１は、所望の位置において骨格ブロック１０を配置しないのみで副空間Ｓ３を形成できるので、オリフィスの設置位置に関する柔軟性が非常に高い。
【００７４】
ここで、上述した本発明の実施形態に係る骨格ブロック構造体、挿入ブロック体の製造方法及び骨格ブロック構造体の製造方法の特徴をそれぞれ以下［１］〜［６］に簡潔に纏めて列記する。
［１］  貯水空間内に設置され貯留槽を構成する骨格ブロック構造体（１）であって、
前記骨格ブロック構造体（１）は、
水平方向に隣接配置され且つ垂直方向に積層される複数の骨格ブロック（１０）からなる骨格ブロック（１０）の集合体と、
前記骨格ブロック（１０）の集合体の外周を囲って前記貯留槽を構成する外周壁（２０）と、
前記貯留槽に水を流入するための流入部（流入管３０）と、
前記貯留槽に貯留されている水を流出するための流出部（流出管４０）と、
前記貯留槽内を第１の空間（主空間Ｓ１）と前記流出部（流出管４０）に連通する第２の空間（副空間Ｓ３）とに区画し、前記第１の空間（主空間Ｓ１）から前記第２の空間（副空間Ｓ３）への水の流入を規制する仕切シート（６１）と、
前記仕切シート（６１）で覆われて前記第２の空間（副空間Ｓ３）に挿入された挿入ブロック体（６０）と、
を備え、
前記挿入ブロック体（６０）は、外周に板材（８０Ａ〜８０Ｅ）が固定部材（ネジ８２）で固定された挿入ブロック本体（７０）を有し、
前記仕切シート（６１）は、前記挿入ブロック本体（７０）の外周を覆い前記板材（８０Ａ〜８０Ｅ）に固定された、
骨格ブロック構造体。
【００７５】
［２］  前記板材（８０Ａ〜８０Ｅ）は、前記挿入ブロック本体（７０）を構成する各側面において、底辺および左右両側辺に沿った位置、および前記底辺と上辺との間で前記底辺と平行となる位置に配置された、
上記［１］に記載の骨格ブロック構造体。
【００７６】
［３］  前記板材（８０Ａ〜８０Ｅ）は樹脂板であり、前記仕切シート（６１）は、熱溶着又は接着剤により前記板材に固定されている、
上記［１］又は［２］に記載の骨格ブロック構造体。
【００７７】
［４］  前記貯留槽の外周壁は、遮水シート（９１）により覆われており、
前記挿入ブロック体（６０）の下端における前記仕切シート（６１）と前記遮水シート（９１）との隙間が止水シート（９２）により覆われている、
上記［１］乃至［３］のいずれかに記載の骨格ブロック構造体。
【００７８】
［５］  複数の骨格ブロック（１０）を、水平方向に隣接配置し且つ垂直方向に積層して挿入ブロック本体（７０）を構成し、
前記挿入ブロック本体（７０）の各側面に板材（８０Ａ〜８０Ｅ）を取り付け、
展開された仕切シート（６１）の上に前記挿入ブロック本体（７０）を載置し、
前記仕切シート（６１）の四方を持ち上げて前記挿入ブロック本体（７０）を包み込み、前記板材（８０Ａ〜８０Ｅ）に固定する、
挿入ブロック体の製造方法。
【００７９】
［６］  貯水空間内に設置され貯留槽を構成する骨格ブロック構造体（１）の製造方法であって、
前記骨格ブロック構造体（１）は、
複数の骨格ブロック（１０）を水平方向に隣接配置し且つ垂直方向に積層して骨格ブロック（１０）の集合体を形成し、
前記骨格ブロック（１０）の集合体の外周を囲って前記貯留槽を構成する外周壁（２０）と、前記貯留槽に水を流入するための流入部（流入管３０）と、前記貯留槽に貯留されている水を流出するための流出部（流出管４０）と、を形成し、
前記貯留槽内を第１の空間（主空間Ｓ１）と前記流出部（流出管４０）に連通する第２の空間（副空間Ｓ３）とに区画し、
前記第２の空間（副空間Ｓ３）に、上記［５］に記載の方法で製造した挿入ブロック体（６０）を挿入する、
ことによって製造される、
骨格ブロック構造体の製造方法。
【符号の説明】
【００８０】
１  骨格ブロック構造体
１０  骨格ブロック
２０  外周壁
３０  流入管（流入部）
４０  流出管（流出部）
６０  挿入ブロック体
６１  仕切シート
７０  挿入ブロック本体
８０，８０Ａ〜８０Ｅ  板材
８２  ネジ（固定部材）
９１  遮水シート
９２  止水シート
Ｓ１  主空間（第１の空間）
Ｓ３  副空間（第２の空間）
【要約】      （修正有）【課題】貯留施設の作製に要するコストの低減及び工期の短縮が可能な、骨格ブロック構造体、挿入ブロック体の製造方法及び骨格ブロック構造体の製造方法を提供する。【解決手段】骨格ブロック構造体は、複数の骨格ブロック１０の集合体と、骨格ブロック１０の集合体の外周を囲って貯留槽を構成する外周壁と、流入管と、流出管と、貯留槽内を主空間と流出管に連通する副空間とに区画し、主空間から副空間への水の流入を規制する仕切シート６１と、仕切シート６１で覆われて副空間に挿入された挿入ブロック体６０と、を備え、挿入ブロック体６０は、外周に板材８０（８０Ａ〜８０Ｅ）がネジで固定された挿入ブロック本体７０を有し、仕切シート６１は、挿入ブロック本体７０の外周を覆い板材８０（８０Ａ〜８０Ｅ）に固定されている。【選択図】図５【図１】
0006974887.tif 000002
【図２】
0006974887.tif 000003
【図３】
0006974887.tif 000004
【図４】
0006974887.tif 000005
【図５】
0006974887.tif 000006
【図６】
0006974887.tif 000007
【図７】
0006974887.tif 000008
【図８】
0006974887.tif 000009
【図９】
0006974887.tif 000010
【図１０】
0006974887.tif 000011
【図１１】
0006974887.tif 000012
【図１２】
0006974887.tif 000013
【図１３】
0006974887.tif 000014